【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
車両又は施設の内部に設けられ、携帯端末から送信される第１要求信号に応じて、前記車両又は前記施設のドアを施解錠可能であり、且つ、前記車両又は前記施設の予約に関する情報を保持するサーバ装置と通信可能なキーユニットであって、
前記携帯端末から第１認証情報が受信された場合、該第１認証情報に基づき、前記携帯端末の認証を行う第１認証部と、
前記第１認証部による前記携帯端末の認証が成功し、且つ、前記携帯端末から前記第１要求信号が受信された場合、前記車両又は前記施設のドアを解錠又は施錠する処理を行う施解錠処理部と、を備え、
前記施解錠処理部は、前記第１認証部による前記携帯端末の認証が成功した場合であっても、前記サーバ装置から受信される前記車両又は前記施設の予約のキャンセルの有無を示すキャンセル情報が前記車両又は前記施設の予約がキャンセルされたことを示す場合、前記ドアの解錠を要求する前記第１要求信号に基づく前記車両又は前記施設のドアの解錠を禁止する、
キーユニット。
【請求項２】
前記第１認証部により前記携帯端末の認証が成功した場合、前記第１認証部により当該携帯端末の認証に利用された前記第１認証情報に対応する前記キャンセル情報の要求を含む第２要求信号を前記サーバ装置に送信するキーユニット用送信部を更に備える、
請求項１に記載のキーユニット。
【請求項３】
計時を行うキーユニット用タイマを更に備え、
前記キーユニット用送信部は、前記サーバ装置に対する前記キャンセル情報の要求、及び前記サーバ装置に設けられる、前記キーユニット用タイマよりも精度が高い計時を行うサーバ用タイマによる時刻の要求を含む前記第２要求信号を前記携帯端末に送信し、
前記第２要求信号は、前記携帯端末で受信されると共に、前記携帯端末から前記サーバ装置に送信され、
前記サーバ装置により前記第２要求信号が受信された場合、前記キャンセル情報及び前記サーバ用タイマによる時刻を含む応答信号が前記携帯端末に送信されると共に、該応答信号は、前記携帯端末で受信された上で、前記携帯端末から当該キーユニットに送信され、
前記キーユニット用タイマは、前記携帯端末から受信される前記応答信号に含まれる前記サーバ用タイマによる時刻に基づき、前記サーバ用タイマと同期される、
請求項２に記載のキーユニット。
【請求項４】
前記車両又は前記施設に対応付けられた第２認証情報を記憶する記憶部を更に備え、
前記施解錠処理部は、前記車両又は前記施設のドアを解錠又は施錠する処理として、前記車両又は前記施設に取り付けられ、前記第２認証情報に基づく当該キーユニットの認証が成功し、且つ、当該キーユニットから第３要求信号を受信した場合に、前記車両又は前記施設の解錠又は施錠を行う施解錠装置に対して、前記第２認証情報及び第３要求信号を前記施解錠装置に送信する、
請求項１乃至３の何れか一項に記載のキーユニット。
【請求項５】
車両又は施設の内部に設けられ、携帯端末から送信される第１要求信号に応じて、前記車両又は前記施設のドアを解錠又は施錠可能なキーユニットと通信可能であり、且つ、前記車両又は前記施設の予約に関する情報を保持するサーバ装置であって、
前記車両又は前記施設の予約のキャンセルの有無を示すキャンセル情報を前記キーユニットに送信するサーバ用送信部を備える、
サーバ装置。
【請求項６】
前記キーユニットは、前記携帯端末から受信される第１認証情報に基づく前記携帯端末の認証が成功した場合、前記キャンセル情報の要求を含む第２要求信号を当該サーバ装置に送信し、
前記サーバ用送信部は、前記第２要求信号が受信された場合、前記キャンセル情報を含む応答信号を前記キーユニットに送信する、
請求項５に記載のサーバ装置。
【請求項７】
前記キーユニットに設けられるキーユニット用タイマよりも精度が高い計時を行うサーバ用タイマを更に備え、
前記キーユニットは、当該サーバ装置に対する前記キャンセル情報の要求及び前記サーバ用タイマによる時刻の要求を含む前記第２要求信号を前記携帯端末に送信し、
前記第２要求信号は、前記携帯端末で受信されると共に、前記携帯端末から当該サーバ装置に送信され、
前記サーバ用送信部は、前記第２要求信号が前記携帯端末から受信された場合、前記キャンセル情報及び前記サーバ用タイマによる時刻を含む、前記キーユニットに対する前記応答信号を前記携帯端末に送信し、
前記応答信号は、前記携帯端末で受信されると共に、前記携帯端末から前記キーユニットに送信される、
請求項６に記載のサーバ装置。
【手続補正２】
【補正対象書類名】明細書
【補正対象項目名】発明の名称
【補正方法】変更
【補正の内容】
【発明の名称】キーユニット、サーバ装置
【手続補正３】
【補正対象書類名】明細書
【補正対象項目名】０００１
【補正方法】変更
【補正の内容】
【０００１】
本発明は、キーユニット等に関する。
【手続補正４】
【補正対象書類名】明細書
【補正対象項目名】０００８
【補正方法】変更
【補正の内容】
【０００８】
そこで、上記課題に鑑み、認証情報を事前に取得可能とする場合であっても、事前取得された認証情報を保持する携帯端末を入手した悪意の第三者による車両或いは施設の不正利用を抑制することが可能なキーユニット等を提供することを目的とする。
【手続補正５】
【補正対象書類名】明細書
【補正対象項目名】０００９
【補正方法】変更
【補正の内容】
【０００９】
上記目的を達成するため、本発明の一実施形態では、
車両又は施設の内部に設けられ、携帯端末から送信される第１要求信号に応じて、前記車両又は前記施設のドアを施解錠可能であり、且つ、前記車両又は前記施設の予約に関する情報を保持するサーバ装置と通信可能なキーユニットであって、
前記携帯端末から第１認証情報が受信された場合、該第１認証情報に基づき、前記携帯端末の認証を行う第１認証部と、
前記第１認証部による前記携帯端末の認証が成功し、且つ、前記携帯端末から前記第１要求信号が受信された場合、前記車両又は前記施設のドアを解錠又は施錠する処理を行う施解錠処理部と、を備え、
前記施解錠処理部は、前記第１認証部による前記携帯端末の認証が成功した場合であっても、前記サーバ装置から受信される前記車両又は前記施設の予約のキャンセルの有無を示すキャンセル情報が前記車両又は前記施設の予約がキャンセルされたことを示す場合、前記ドアの解錠を要求する前記第１要求信号に基づく前記車両又は前記施設のドアの解錠を禁止する、
キーユニットが提供される。
【手続補正６】
【補正対象書類名】明細書
【補正対象項目名】００１１
【補正方法】変更
【補正の内容】
【００１１】
また、上述の実施形態において、
前記第１認証部により前記携帯端末の認証が成功した場合、前記第１認証部により当該携帯端末の認証に利用された前記第１認証情報に対応する前記キャンセル情報の要求を含む第２要求信号を前記サーバ装置に送信するキーユニット用送信部を更に備えてもよい。
【手続補正７】
【補正対象書類名】明細書
【補正対象項目名】００１３
【補正方法】変更
【補正の内容】
【００１３】
また、上述の実施形態において、
計時を行うキーユニット用タイマを更に備え、
前記キーユニット用送信部は、前記サーバ装置に対する前記キャンセル情報の要求、及び前記サーバ装置に設けられる、前記キーユニット用タイマよりも精度が高い計時を行うサーバ用タイマによる時刻の要求を含む前記第２要求信号を前記携帯端末に送信し、
前記第２要求信号は、前記携帯端末で受信されると共に、前記携帯端末から前記サーバ装置に送信され、
前記サーバ装置により前記第２要求信号が受信された場合、前記キャンセル情報及び前記サーバ用タイマによる時刻を含む応答信号が前記携帯端末に送信されると共に、該応答信号は、前記携帯端末で受信された上で、前記携帯端末から当該キーユニットに送信され、
前記キーユニット用タイマは、前記携帯端末から受信される前記応答信号に含まれる前記サーバ用タイマによる時刻に基づき、前記サーバ用タイマと同期されてもよい。
【手続補正８】
【補正対象書類名】明細書
【補正対象項目名】００１５
【補正方法】変更
【補正の内容】
【００１５】
また、上述の実施形態において、
前記車両又は前記施設に対応付けられた第２認証情報を記憶する記憶部を更に備え、
前記施解錠処理部は、前記車両又は前記施設のドアを解錠又は施錠する処理として、前記車両又は前記施設に取り付けられ、前記第２認証情報に基づく当該キーユニットの認証が成功し、且つ、当該キーユニットから第３要求信号を受信した場合に、前記車両又は前記施設の解錠又は施錠を行う施解錠装置に対して、前記第２認証情報及び第３要求信号を前記施解錠装置に送信してもよい。
【手続補正９】
【補正対象書類名】明細書
【補正対象項目名】００１７
【補正方法】変更
【補正の内容】
【００１７】
また、本発明の更に他の実施形態は、サーバ装置として実現可能である。
【手続補正１０】
【補正対象書類名】明細書
【補正対象項目名】００１８
【補正方法】変更
【補正の内容】
【００１８】
上述の実施形態によれば、認証情報を事前に取得可能とする場合であっても、事前取得された認証情報を保持する携帯端末を入手した悪意の第三者による車両或いは施設の不正利用を抑制することが可能なキーユニット等を提供することができる。
【手続補正１１】
【補正対象書類名】図面
【補正対象項目名】図１
【補正方法】変更
【補正の内容】
【図１】
2018145766.tif 000001